(57)【要約】【課題】買い換え時における通信事業者の違いにかかわらず、買い換え対象の端末の電話帳データの移植及び利用が容易なパーソナルデータベースシステムを提供する。【解決手段】携帯電話端末１は登録サーバ３からのアプリケーションプログラムのダウンロード、パーソナルデータの登録・保存を行う。アプリケーションプログラムはデータ入力フォームの表示、入力されたデータの暗号化、暗号化したデータのネットワークの登録サーバ３への転送、登録サーバ３へのアクセスに際しての認証等を行う。アプリケーションプログラムは登録サーバ３にアクセスして必要なデータを検索、選択し、暗号化されたデータを復号して表示するとともに、選択されたデータのうちの電話番号データに基づいたダイヤル、電子メールアドレスに基づいたメーラの起動を行う。【選択図】　　　図１
2004015252.tif 000002
【特許請求の範囲】
【請求項１】
アプリケーションプログラムが実行可能な携帯電話端末と、前記携帯電話端末からアクセス可能なサーバとを含むパーソナルデータベースシステムであって、
前記携帯電話端末で使用される個人データを暗号化する手段と、その暗号化されたデータを前記サーバに転送する手段とを前記携帯電話端末に有し、
前記サーバが前記携帯電話端末からの個人データを蓄積しかつその蓄積されたデータを前記携帯電話端末から参照自在としたことを特徴とするパーソナルデータベースシステム。
【請求項２】
少なくともデータ入力、認証、データの暗号化、データの検索及び表示を制御するアプリケーションプログラムを前記携帯電話端末内にダウンロードし、当該アプリケーションプログラムによって前記個人データの暗号化と前記サーバへの転送とを行うことを特徴とする請求項１記載のパーソナルデータベースシステム。
【請求項３】
前記アプリケーションプログラムのダウンロード時に前記携帯電話端末の認証を行うことを特徴とする請求項２記載のパーソナルデータベースシステム。
【請求項４】
サーバに対してアクセス可能に構成されかつアプリケーションプログラムが実行可能な携帯電話端末であって、
自端末で使用する個人データを暗号化する手段と、その暗号化されたデータを前記サーバに転送する手段と、前記サーバに転送して蓄積された前記個人データを参照する手段とを有することを特徴とする携帯電話端末。
【請求項５】
少なくともデータ入力、認証、データの暗号化、データの検索及び表示を制御するアプリケーションプログラムを自端末内にダウンロードし、当該アプリケーションプログラムによって前記個人データの暗号化と前記サーバへの転送と前記個人データの参照とを行うことを特徴とする請求項４記載の携帯電話端末。
【請求項６】
前記アプリケーションプログラムのダウンロード時に前記携帯電話端末の認証を行うことを特徴とする請求項５記載の携帯電話端末。
【請求項７】
アプリケーションプログラムが実行可能な携帯電話端末と、前記携帯電話端末からアクセス可能なサーバとを含むパーソナルデータベースシステムのデータ蓄積方法であって、
前記携帯電話端末で使用される個人データを暗号化するステップと、その暗号化されたデータを前記サーバに転送するステップと、前記サーバに転送して蓄積された前記個人データを参照するステップとを前記携帯電話端末に有することを特徴とするデータ蓄積方法。
【請求項８】
少なくともデータ入力、認証、データの暗号化、データの検索及び表示を制御するアプリケーションプログラムを前記携帯電話端末内にダウンロードし、当該アプリケーションプログラムによって前記個人データの暗号化と前記サーバへの転送とを行うことを特徴とする請求項７記載のデータ蓄積方法。
【請求項９】
前記アプリケーションプログラムのダウンロード時に前記携帯電話端末の認証を行うことを特徴とする請求項８記載のデータ蓄積方法。
【請求項１０】
アプリケーションプログラムが実行可能な携帯電話端末と、前記携帯電話端末からアクセス可能なサーバとを含むパーソナルデータベースシステムのデータ蓄積方法のプログラムであって、前記携帯電話端末のコンピュータに、前記携帯電話端末で使用される個人データを暗号化する処理と、その暗号化されたデータを前記サーバに転送する処理と、前記サーバに転送して蓄積された前記個人データを参照する処理とを実行させるためのプログラム。
【発明の詳細な説明】
【０００１】
【発明の属する技術分野】
本発明はパーソナルデータベースシステム、携帯電話端末及びそれらに用いるデータ蓄積方法並びにそのプログラムに関し、特に携帯電話端末における電話番号リスト等のデータの蓄積方法に関する。
【０００２】
【従来の技術】
近年、携帯電話端末の普及に伴って、携帯電話端末内部の記憶部に登録されて記憶されている電話帳データの電話番号リスト等が、ユーザにとって重要なデータ資産となっている。
【０００３】
一方、携帯電話端末を買い換えた場合、同一の通信事業者間ではその電話番号リストの移植に対して便宜が図られているものの、異なる通信事業者間では電話番号リストの移植が保証されていない場合が多い。
【０００４】
【発明が解決しようとする課題】
上述した従来の携帯電話端末では、買い換え時における通信事業者の違いにかかわらず、買い換え対象の端末の電話帳データを移植及び利用する方法が望まれており、一部、ＳＩＭカード（Ｓｕｂｓｃｒｉｂｅｒ　Ｉｄｅｎｔｉｔｙ　Ｍｏｄｕｌｅ　ｃａｒｄ）等のＩＣ（集積回路）カードに電話帳データを保存することによって、それらデータのポータビリティを確保しようとしているが、この技術は旧機種に適用されない。
【０００５】
そこで、本発明の目的は上記の問題点を解消し、買い換え時における通信事業者の違いにかかわらず、買い換え対象の端末の電話帳データの移植及び利用を容易に行うことができるパーソナルデータベースシステム、携帯電話端末及びそれらに用いるデータ蓄積方法並びにそのプログラムを提供することにある。
【０００６】
【課題を解決するための手段】
本発明によるパーソナルデータベースシステムは、アプリケーションプログラムが実行可能な携帯電話端末と、前記携帯電話端末からアクセス可能なサーバとを含むパーソナルデータベースシステムであって、
前記携帯電話端末で使用される個人データを暗号化する手段と、その暗号化されたデータを前記サーバに転送する手段とを前記携帯電話端末に備え、
前記サーバが前記携帯電話端末からの個人データを蓄積しかつその蓄積されたデータを前記携帯電話端末から参照自在としている。
【０００７】
本発明による携帯電話端末は、サーバに対してアクセス可能に構成されかつアプリケーションプログラムが実行可能な携帯電話端末であって、自端末で使用する個人データを暗号化する手段と、その暗号化されたデータを前記サーバに転送する手段と、前記サーバに転送して蓄積された前記個人データを参照する手段とを備えている。
【０００８】
本発明によるデータ蓄積方法は、アプリケーションプログラムが実行可能な携帯電話端末と、前記携帯電話端末からアクセス可能なサーバとを含むパーソナルデータベースシステムのデータ蓄積方法であって、前記携帯電話端末で使用される個人データを暗号化するステップと、その暗号化されたデータを前記サーバに転送するステップと、前記サーバに転送して蓄積された前記個人データを参照するステップとを前記携帯電話端末に備えている。
【０００９】
本発明によるデータ蓄積方法のプログラムは、アプリケーションプログラムが実行可能な携帯電話端末と、前記携帯電話端末からアクセス可能なサーバとを含むパーソナルデータベースシステムのデータ蓄積方法のプログラムであって、前記携帯電話端末のコンピュータに、前記携帯電話端末で使用される個人データを暗号化する処理と、その暗号化されたデータを前記サーバに転送する処理と、前記サーバに転送して蓄積された前記個人データを参照する処理とを実行させている。
【００１０】
すなわち、本発明のパーソナルデータベースシステムは、アプリケーションプログラムが実行可能な携帯電話端末を用い、データ入力、認証、データの暗号化、データの検索、表示を制御するアプリケーションプログラムを用いて、携帯電話端末内のメモリでなく、ネットワークのサーバ上に電話番号リスト（氏名住所等を含む）等の個人データを蓄積し、携帯電話端末を利用する際の電話番号検索、電子メールアドレス検索に利用している。
【００１１】
これによって、本発明のパーソナルデータベースシステムでは、ネットワーク上に蓄積されるデータが全て暗号化されているので、電話番号リスト等のデータの秘密が保持される。
【００１２】
また、本発明のパーソナルデータベースシステムでは、新しく携帯電話端末を買い換えても、専用のアプリケーションを再度ダウンロードすることによって、ネットワーク上のデータにアクセス可能となり、電話番号リスト等のデータの携帯電話端末への再登録が不要となる。
【００１３】
さらに、本発明のパーソナルデータベースシステムでは、新しく携帯電話端末を買い換える際に、違う通信事業者の端末を購入しても、住所録データがネットワーク上にあるので、電話番号リスト等のデータの移植作業が不要となる。言い換えると、買い換え時における通信事業者の違いにかかわらず、買い換え対象の端末の電話帳データの移植及び利用が容易となる。
【００１４】
【発明の実施の形態】
次に、本発明の実施例について図面を参照して説明する。図１及び図２は本発明の一実施例によるパーソナルデータベースシステムの構成を示すブロック図である。図１において、本発明の一実施例によるパーソナルデータベースシステムはアプリケーションプログラムのダウンロード及び実行が可能な携帯電話端末１と、携帯電話端末１に対してアプリケーションプログラムのダウンロードや携帯電話端末１パーソナルデータの登録・保存を提供する登録サーバ３とから構成されている。
【００１５】
上記のアプリケーションプログラムは、データ入力フォームの表示、入力されたデータの暗号化、暗号化したデータのネットワーク上のデータベースサーバ（登録サーバ３）への転送、データベースサーバへのアクセスに際しての認証等の機能を有している。
【００１６】
また、上記のアプリケーションプログラムは、第２のアプリケーションプログラムとして、データベースサーバにアクセスして必要なデータを検索、選択し、暗号化されたデータを復号して表示する機能、選択されたデータのうちの電話番号データに基づいて当該携帯電話端末をダイヤルしたり、電子メールアドレスに基づいてメーラを起動し、宛先欄にその電子メールアドレスを入力する機能を有している。
【００１７】
ここで、登録サーバ３は上記のデータベースサーバとしての機能以外に、上記のアプリケーションプログラムを配布するためのダウンロードアプリケーション配付サーバ、利用者毎の個人データを蓄積するための個人データ蓄積用データサーバとしての機能も有している。
【００１８】
ユーザは本実施例によるデータストレージサービス利用前に、このサービス供給業者とサービス供与契約Ａを締結しており、ストレージサービス供給業者に対してユーザが所有使用している携帯電話の番号、当該端末の電子メールアドレスを通知し、顧客識別ＩＤ（識別情報）及びパスワードの交付を受けているものとする。
【００１９】
図１はユーザが住所録及び電話番号データを記録する際の手順を示している。この図１を参照して、ユーザが、例えば、住所録及び電話番号データを記録する際の手順について説明する。尚、図１に示す手順は記録媒体２に格納されかつ図示せぬコンピュータで動作可能なプログラムを実行することで実現される。
【００２０】
この場合、まず、ユーザは携帯電話端末１によってネットワークを介してデータストレージサービスを受けるためのサイトにアクセスし、交付された顧客識別ＩＤ及びパスワード、電話番号等によって認証をうける。
【００２１】
認証の結果、登録されているサービス利用者の携帯電話端末１の電子メールアドレスに、専用アプリケーションプログラム（以下、プログラムとする）をダウンロードすることのできるサイトのＵＲＬ（Ｕｎｉｆｏｒｍ　ＲｅｓｏｕｒｃｅＬｏｃａｔｏｒ）を知らせるメールが送付される（図１ステップＳ２１）。
【００２２】
ユーザは通知されたＵＲＬを基に登録サーバ３にアクセスし、登録サーバ３からプログラムをダウンロードする（図１ステップＳ１１）。ダウンロードしたプログラムが携帯電話端末１上で起動されると（図１ステップＳ１２）、携帯電話端末１上には住所録データ入力、サーバ転送等のメニューが表示される（図１ステップＳ１３）。
【００２３】
携帯電話端末１上で住所録データメニューが選択されると、氏名、住所、電話番号、電子メールアドレス等の入力欄が表示され、それらに入力を行った後、サーバ転送ボタン（登録ボタン）をクリックすることで（図１ステップＳ１４）、ネットワーク上の登録サーバ３に転送され（図１ステップＳ１６）、登録サーバ３に蓄積される（図１ステップＳ２２）。この転送に先立って入力されたデータは携帯電話端末１内にある暗号化キーで暗号化される（図１ステップＳ１５）。
【００２４】
図２は図１に示す手順で登録されたデータを利用する場合の手順を示している。この図２を参照して図１に示す手順で登録されたデータを利用する場合の手順について説明する。尚、図２に示す手順は記録媒体２に格納されかつコンピュータで動作可能なプログラムを実行することで実現される。
【００２５】
登録サーバ３上に蓄積されたデータを使用する際には、別途、データを利用するためのアプリケーションプログラムを、上記の登録手順と同様に、ダウンロードして入手する（図２ステップＳ３１，Ｓ３２，Ｓ４１）。
【００２６】
携帯電話端末１上では当該プログラムが起動されると（図２ステップＳ３３）、五十音検索（その他の検索方法でもよい）、氏名直接入力等のメニューが表示される　（図２ステップＳ３４）。
【００２７】
これらのメニュー内のボタンのうちの一つがクリックされると、登録サーバ３のデータベースから検索候補が選出され（図２ステップＳ３５〜Ｓ３７，Ｓ４２）、携帯電話端末１にダウンロードされる（図２ステップＳ４３）。
【００２８】
検索候補は携帯電話端末１にダウンロードされた後、端末内蔵の暗号化キーで復号され（図２ステップＳ３８）、表示される（図２ステップＳ３９）。この表示されたデータのうち、所望のものを選択決定する。
【００２９】
携帯電話端末１の画面上に表示された電話番号については、画面上に構成されたソフトウェアキーの押下等によつて、当該電話番号へのダイヤリングが可能になり、電子メールアドレスの場合にはメール用のソフトウェアが起動され、メール宛名欄に検索した電子アドレスが入力され、利用者のメール作成、発信準備を整える（図２ステップＳ４０）。
【００３０】
このように、本実施例では、ネットワークの登録サーバ３上に蓄積されるデータが全て暗号化されているので、住所録データ、電話帳データ等における電話番号リスト等のデータの秘密を保持することができる。
【００３１】
また、本実施例では、新しく携帯電話端末を買い換えても、専用のアプリケーションを再度ダウンロードすることによって、ネットワーク上のデータにアクセスすることができ、電話番号リスト等のデータの携帯電話端末への再登録が不要となる。
【００３２】
さらに、本実施例では、新しく携帯電話端末を買い換える際に、違う通信事業者の端末を購入しても、住所録データ、電話帳データ等における電話番号リスト等のデータがネットワークの登録サーバ３上にあるので、電話番号リスト等のデータの移植作業が不要となる。言い換えると、買い換え時における通信事業者の違いにかかわらず、買い換え対象の端末の電話帳データの移植及び利用が容易となる。
【００３３】
【発明の効果】
以上説明したように本発明は、アプリケーションプログラムが実行可能な携帯電話端末と、携帯電話端末からアクセス可能なサーバとを含むパーソナルデータベースシステムにおいて、携帯電話端末で使用される個人データを暗号化し、その暗号化されたデータをサーバに転送するとともに、サーバが携帯電話端末からの個人データを蓄積しかつその蓄積されたデータを携帯電話端末から参照自在とすることによって、買い換え時における通信事業者の違いにかかわらず、買い換え対象の端末の電話帳データの移植及び利用を容易に行うことができるという効果が得られる。
【図面の簡単な説明】
【図１】湾発明の一実施例による住所録及び電話番号データを記録する際の手順を示す図である。
【図２】本発明の一実施例による登録されたデータを利用する場合の手順を示す図である。
【符号の説明】
１　携帯電話端末
２　記録媒体
３　登録サーバ
【図１】
2004015252.tif 000003
【図２】
2004015252.tif 000004